(57)【特許請求の範囲】
【請求項１】
防水パンの洗い場面外周に突条が立ち上げ形成され、該突条の外側に洗い場面よりも低い高さ位置まで一段下がった落とし込み部が防水パンの外周に沿って長く形成され、該落とし込み部に載置された長尺のスペーサー上に壁パネルが立設される構造において、
前記スペーサーの壁パネル載置面は前記突条よりも高い位置に設定され、該スペーサーと前記壁パネルと前記突条間にはシリコンが充填されることを特徴とする防水パンへの壁パネルの立設構造。
【請求項２】
前記スペーサーには、前記壁パネル載置面から垂下されて防水パンと接する垂片部が設けられているとともに、前記壁パネル載置面は該垂片部よりも防水パン側に突出されていることを特徴とする請求項１に記載の防水パンへの壁パネルの立設構造。
【発明の詳細な説明】
【技術分野】
【０００１】
本発明は、防水パンの外周に壁パネルを立設する立設構造に関するものである。
【背景技術】
【０００２】
従来、防水パンの外周に一段低い落とし込み部が形成されて、この落とし込み部にスペーサーが載置され、スペーサー上に壁パネルが立設される構造が存在する。
【特許文献１】特開２００３−９７０６８号公報
【発明の開示】
【発明が解決しようとする課題】
【０００３】
なお、従来では、壁パネルを載置するスペーサーと防水パン間から水が漏れるのを防ぐためにシリコンを塗布してシーリングを行うが、シリコンを塗布する隙間が少なく、そのためシリコンを塗布しにくく、水密性を確保することが難しいという問題点があった。
【課題を解決するための手段】
【０００４】
本発明は上記従来の問題点に鑑み案出したものであって、良好にシリコンを塗布して水密性を確保することができ、また、壁パネルの載る壁パネル載置面の面積を広く確保することのできる防水パンへの壁パネルの立設構造を提供せんとするものであり、その請求項１は、防水パンの洗い場面外周に突条が立ち上げ形成され、該突条の外側に洗い場面よりも低い高さ位置まで一段下がった落とし込み部が防水パンの外周に沿って長く形成され、該落とし込み部に載置された長尺のスペーサー上に壁パネルが立設される構造において、
前記スペーサーの壁パネル載置面は前記突条よりも高い位置に設定され、該スペーサーと前記壁パネルと前記突条間にはシリコンが充填されることである。
【０００５】
また、請求項２は、前記スペーサーには、前記壁パネル載置面から垂下されて防水パンと接する垂片部が設けられているとともに、前記壁パネル載置面は該垂片部よりも防水パン側に突出されていることである。
【発明の効果】
【０００６】
本発明は、防水パンの洗い場面外周に突条が立ち上げ形成され、該突条の外側に洗い場面よりも低い高さ位置まで一段下がった落とし込み部が防水パンの外周に沿って長く形成され、該落とし込み部に載置された長尺のスペーサー上に壁パネルが立設される構造において、前記スペーサーの壁パネル載置面は前記突条よりも高い位置に設定され、該スペーサーと前記壁パネルと前記突条間にはシリコンが充填されることにより、スペーサーの壁パネル載置面は防水パン側で立ち上がる突条よりも高い位置にあるため、突条の上端と壁パネルと長尺のスペーサー間にシリコンを充填するための隙間ができ、この隙間内に良好にシリコンを充填して防水することができ、良好な水密性を確保できる構造となる。
【０００７】
また、前記スペーサーには、前記壁パネル載置面から垂下されて防水パンと接する垂片部が設けられているとともに、前記壁パネル載置面は該垂片部よりも防水パン側に突出されていることにより、スペーサーの垂下片部が防水パンに接するため、シリコンを充填した時にシリコンが下方へ流れ落ちることがなく、シリコンの量を適量とすることができ、シリコンの塗布作業が容易なものとなる。
また、壁パネルの載る面積が広く確保されるため、安定した壁パネルの立設状態が得られるものとなる。
【実施例】
【０００８】
以下、本発明の実施例を図面に基づいて説明する。
図１は、防水パン１の平面概略構成図であり、防水パン１には、堤防部４で区切られて、洗い場面２と、浴槽を設置する浴槽設置面３が形成されており、洗い場面２の堤防部４側には、洗い場排水口２ａが形成されている。
【０００９】
洗い場面２の外周には、一段低く落とし込み部６が形成されており、落とし込み部６の内側には、上方へ突出した突条５が形成されたものとなっている。
この落とし込み部６上には、スペーサーＳが載せられ、スペーサーＳ上に壁パネル９が立設されるものであり、防水パンとスペーサーの分解斜視図は図２に示し、壁パネルの立設状態の縦断面図は図３に示す。
【００１０】
防水パン１の洗い場面２の外周側には、上方へ一体状に立ち上げて突条５が形成され、突条５から下方に垂下状に垂下片６ａが一体形成され、垂下片６ａの下端側で外側へ水平に延びて水平支持片６ｂが形成され、水平支持片６ｂの外端側で立ち上げて立上片６ｃが一体形成されており、この垂下片６ａと水平支持片６ｂと立上片６ｃで落とし込み部６が形成されている。
【００１１】
この落とし込み部６上に載置されるスペーサーＳは、鋼板部材７と樹脂部材８で構成されており、鋼板部材７と樹脂部材８は別体で形成されて二層状に組み合わせて使用されるものである。
鋼板部材７は０．８mm〜１．６mm程度の厚みを有する鋼板を曲げ加工して形成されたものであり、主として亜鉛メッキ鋼板または塗装鋼板が用いられている。
【００１２】
この鋼板部材７は、垂片７ａの下端に、水平に折り曲げて下片７ｂが形成されており、この下片７ｂが図３に示すように防水パンの立上片６ｃ上に載せられるものである。
また、垂片７ａの上端には、下片７ｂと平行状に水平に延びる上片７ｃが一体形成され、上片７ｃの外端側で上方へ立ち上がる差込片７ｄが一体形成されている。
【００１３】
また、樹脂部材８は、略水平な壁載置片８ａから垂下状に垂片部８ｂが一体形成され、壁載置片８ａの外端側で上方へ立ち上げて立上片８ｃが一体形成され、立上片８ｃの上端で外側へ湾曲状に曲がる曲がり部８ｄが形成されて、曲がり部８ｄの外端で下方側へ垂下状に垂下片８ｅが一体形成されたものである。
なお、樹脂部材８の壁載置片８ａの上面が、壁パネル９が立設される壁パネル載置面Ｐとなっており、この壁載置片８ａの防水パン側は、垂片部８ｂよりも防水パン１側へ突出した突出部８ｆとなっており、この突出部８ｆの分だけ壁パネル載置面Ｐは従来よりも広い面積に設定されている。
【００１４】
この樹脂部材８の立上片８ｃと垂下片８ｅ間の隙間内に、下方より鋼板部材７の差込片７ｄを差し込んで、鋼板部材７の上片７ｃを樹脂部材８の壁載置片８ａの裏側に当接させ、鋼板部材７の垂片７ａを樹脂部材８の垂片部８ｂの外側に当接させて、鋼板部材７と樹脂部材８を組み合わせて二層構造にして、図３のように、防水パンの落とし込み部６に載置することができる。
【００１５】
なお、図３のように、樹脂部材８に鋼板部材７を組み付けて防水パン１の落とし込み部６に載せ、鋼板部材７の垂片７ａに形成した孔Ｈ内に外側よりビスＢを挿入させ、ビスＢを防水パン１の垂下片６ａに締め付けてスペーサーＳを固定した状態では、スペーサーＳの樹脂部材８の垂片部８ｂが防水パンの垂下片６ａの外側に当接状態となり、鋼板部材７の下片７ｂが防水パンの立上片６ｃ上に載り、樹脂部材８の突出部８ｆが防水パンの突条５の上方に配置されるように構成されている。
【００１６】
従って、壁パネル載置面Ｐは防水パン側の突条５よりも高い位置となるように設定されており、この壁パネル載置面Ｐに壁パネル９の下端が当接されて壁パネル９が立設される。
壁パネル９は、その室内側の面９ａが、防水パンの突条５の立ち上がり面５ａの上端とほぼ同レベルとなるような位置に立設されるものであり、図３に示すように、壁パネル９の下端と突出部８ｆと突条５間にはシリコンＣを充填できる適度な隙間が形成されるため、この隙間内にシリコンＣを充填して、確実な防水性を確保することができるものとなる。さらに、突条５の立ち上がり面５ａは角部がない緩やかな勾配であるため、角部にゴミが溜まることがなく、防水パンの端を清潔に保つことができるものとなる。
【００１７】
なお、垂片部８ｂが防水パンの垂下片６ａに当接されているために、シリコンＣは下方側へ流れ落ちることが少なく、シリコンＣの量を適量にして無駄のないように充填することができるものである。
このように、シリコンＣを隙間内に充填して確実な水密性が確保されるために、洗い場面２側からスペーサーＳ側に向かう水は確実に遮断されて、鋼板部材７側へ水が回り込むことはなく、そのため、鋼板部材７は錆びることがなく良好な強度が維持されるものとなる。
【００１８】
このように壁パネル９を防水パン１の洗い場面２の床部分に合わせて、突条５の立ち上がり面５ａの上端とほぼ同レベルとなる内側へ立設させた場合でも、良好に突出部８ｆ上に壁パネル９を載せることができ、壁パネル載置面Ｐが突出部８ｆの分だけ広くなっているため、壁パネル９を安定した状態で立設することができるものである。
【００１９】
次に、図４は変更例を示すものである。
図４では、スペーサーＳを樹脂で一体形成した場合を示すものであり、樹脂で一体形成されたスペーサーＳは、防水パン１の落とし込み部６内にその下端が嵌まり込むような形状に形成されており、落とし込み部６にスペーサーＳを嵌め込んだ状態では、スペーサーＳの背面８ｇが防水パンの立上片６ｃとほぼ面一状となるように設定されており、この状態では、スペーサーＳの垂片部８ｂが防水パンの垂下片６ａの外側に当接状態となり、スペーサーＳの上面の壁パネル載置面Ｐから防水パン１側へ一体状に突出形成されている突出部８ｆが、防水パン１の突条５の上方に配置されるように構成されている。また、スペーサーＳの壁パネル載置面Ｐの後部には、一体状に立上片８ｃが形成されている。
【００２０】
図４のように、壁パネル９をスペーサーＳの突出部８ｆ上に載せて、壁パネル９の室内側の面９ａを防水パンの突条５の立ち上がり面５ａの上端とほぼ同一レベルにして、壁パネル９を壁パネル載置面Ｐ上に立設させると、壁パネル９の下端とスペーサーの突出部８ｆと防水パンの突条５間に隙間が形成され、この隙間内にシリコンＣを充填させることができ、水密性を確保することができるものとなる。
【００２１】
また、隙間内に充填されるシリコンＣは、防水パンの垂下片６ａとスペーサーＳの垂片部８ｂが当接状態となっているため、下方へ垂れ落ちることがなく、シリコンを適量隙間に充填して確実にシールすることができるものとなる。
このようにして水密性を確保することができ、また、スペーサーに形成されている突出部８ｆの分だけ壁パネル載置面Ｐの面積が広く確保されているため、この上に壁パネル９を安定して設置することができるものとなる。
【図面の簡単な説明】
【００２２】
【図１】防水パンの平面概略構成図である。
【図２】防水パンとスペーサーの構成部材の分解斜視図である。
【図３】図２のスペーサーを防水パンの落とし込み部に設置し、その上に壁パネルを立設させた状態の縦断面構成図である。
【図４】樹脂で一体形成したスペーサーを落とし込み部に設置して、その上に壁パネルを立設させた場合の別例の縦断面構成図である。
【符号の説明】
【００２３】
１  防水パン
２  洗い場面
５  突条
５ａ  立ち上がり面
６  落とし込み部
６ａ  垂下片
６ｂ  水平支持片
６ｃ  立上片
７  鋼板部材
７ａ  垂片
７ｂ  下片
７ｃ  上片
７ｄ  差込片
８  樹脂部材
８ａ  壁載置片
８ｂ  垂片部
８ｃ  立上片
８ｄ  曲がり部
８ｅ  垂下片
８ｆ  突出部
９  壁パネル
９ａ  室内側の面
Ｐ  壁パネル載置面
Ｂ  ビス
【図１】
0005052232.tif 000002
【図２】
0005052232.tif 000003
【図３】
0005052232.tif 000004
【図４】
0005052232.tif 000005